(57)【要約】  移動体（１）には、太陽光の波長域又は赤外放射の波長域にある光を反射する反射制御層（２１）が表面に形成されており、反射した光によって移動体（２１）外部の主流（２）を加熱することで移動体（１）の空気抵抗を低減する。移動体前面（１１０）における反射制御層（２１Ａ）の平均反射率が、移動体上面（１１２）における反射制御層（２１Ｂ）の平均反射率と異なっている。
2019035156.tif 000002
【特許請求の範囲】
【請求項１】
太陽光の波長域又は赤外放射の波長域にある光を反射する反射制御層が表面に形成された移動体であって、
前記移動体の表面のうち、前記移動体の進行方向から走行風を受ける面を移動体前面とし、前記進行方向と略平行になる面を移動体上面として、
前記移動体前面における前記反射制御層の平均反射率が、前記移動体上面における前記反射制御層の平均反射率と異なること
を特徴とする移動体。
【請求項２】
請求項１に記載された移動体であって、
０．７５μｍから１００μｍまでの波長における前記移動体前面の前記反射制御層の平均反射率が、４％以上であること
を特徴とする移動体。
【請求項３】
請求項１又は２に記載された移動体であって、
０．３μｍから１００μｍまでの波長における前記移動体上面における前記反射制御層の平均反射率が、４％以上であること
を特徴とする移動体。
【請求項４】
請求項１乃至３のいずれか一項に記載された移動体であって、
前記移動体の表面のうち、カーブ時において前記移動体の進行方向から走行風を受ける面を移動体側面として、
前記移動体側面における前記反射制御層の平均反射率が、前記移動体上面における前記反射制御層の平均反射率と異なること
を特徴とする移動体。
【発明の詳細な説明】
【技術分野】
【０００１】
本発明は、その表面に反射制御層が形成された移動体に関する。
【背景技術】
【０００２】
従来から、太陽熱による車室内の温度上昇を防ぐため、自動車表面に塗装する塗料の粒径を調整することで、３５０ｎｍ〜２１００ｎｍの波長域にある光に対する自動車表面の反射率を２０〜６０％以上にすることが知られている（特許文献１参照）。
【先行技術文献】
【特許文献】
【０００３】
【特許文献１】特許第３２３０８３８号公報
【発明の概要】
【発明が解決しようとする課題】
【０００４】
一方、本発明の発明者は、移動体の空気抵抗を低減するために、移動体の近傍の空気の流速が遅くなる領域（境界層）の外側の領域（主流）の空気の温度を上げることが有効であるという知見を得た。【０００５】
しかし、特許文献１に記載された方法によれば、可視光域（３８０ｎｍ〜７５０ｎｍ）にある波長の光に対して高反射化されてしまうため、当該塗装を施した自動車が歩行者の目に眩しく映るという問題がある。【０００６】
また、上述のような問題を避けるために、可視光域にある波長の光に対して反射率が低くなるような塗装を自動車に施したとしても、太陽光のスペクトルのうち大部分は可視光域にあるため、入射する太陽光によって、自動車表面、特に自動車天板の温度上昇を招く。温度上昇に従って自動車天板の表面に存在する境界層の空気の粘性係数が大きくなるため、自動車天板において圧力抵抗よりも支配的な、境界層の空気から受ける粘性摩擦抵抗が大きくなってしまうという問題がある。【０００７】
本発明は、このような課題に鑑みてなされたものであり、その目的は、移動体の周囲の主流の空気の温度を上げて移動体の空気抵抗を低減させることである。
【課題を解決するための手段】
【０００８】
本発明に係る移動体には反射制御層が表面に形成されており、移動体の表面のうち、移動体の進行方向から走行風を受ける面を移動体前面とし、進行方向と略平行になる面を移動体上面とした場合に、移動体前面における反射制御層の反射率が、移動体上面における反射制御層の反射率と異なる。
【発明の効果】
【０００９】
本発明によれば、移動体が歩行者の目に眩しく映ることを防止しつつ、移動体の表面で反射された光によって主流の空気を加熱し、加熱された空気の密度の低下によって移動体に対する空気抵抗を低減することができる。
【図面の簡単な説明】
【００１０】
【図１】図１は、本実施形態に係る自動車の周りに生じる空気の流れの模式図である。
【図２】図２は、本実施形態に係る自動車の表面近傍の、自動車の進行方向に沿った一部断面図である。
【図３】図３は、本実施形態に係る自動車の表面の構造を示す拡大断面図である。
【図４】図４は、反射光による主流の温度上昇の検証結果を示すグラフ図である。
【図５Ａ】図５Ａは、本実施形態に係る自動車を進行方向に対して前方から見た正面図である。
【図５Ｂ】図５Ｂは、本実施形態に係る自動車を進行方向に対して上方から見た上面図である。
【図５Ｃ】図５Ｃは、本実施形態に係る自動車を進行方向に対して側方から見た側面図である。
【発明を実施するための形態】
【００１１】
図面を参照して、本発明の実施形態を説明する。図面の記載において同一部分には同一符号を付し説明を省略する。以下では、移動体が自動車である場合を挙げて説明する。
【００１２】
図１は、本実施形態に係る自動車の、走行中に生じる空気の流れの模式図である。また、図２は、本実施形態に係る自動車の表面近傍の、自動車の進行方向に沿った拡大断面図である。図３は、本実施形態に係る自動車の表面の構造を示す拡大断面図である。
【００１３】
図３に示すように、自動車１の表面には車体塗装層２０が形成され、さらに車体塗装層２０の上に反射制御層２１が形成されている。
【００１４】
反射制御層２１は、太陽光の波長域（０．３μｍ〜１００μｍ）にある光を反射する。なお、反射制御層２１の種類や厚みは、自動車の表面の位置に応じて変更されうるものである。
【００１５】
太陽光の波長域は、近紫外線の波長域（０．３μｍ〜０．３８μｍ）、可視光域（０．３８μｍ〜０．７５μｍ）、赤外放射の波長域（０．７５μｍ〜１００μｍ）からなる。また、赤外放射の波長域は、近赤外線の波長域（０．７５μｍ〜３μｍ）及び中赤外線および遠赤外線の波長域（３μｍ〜１００μｍ）からなる。
【００１６】
近赤外線の波長域のうち、０．７５μｍ〜０．７８μｍの波長域は、空気中の酸素分子の熱吸収帯（酸素Ａバンド）である。
【００１７】
＜走行中の自動車の周りの空気の流れ＞
図１に示すように、自動車１の静止系で見たとき、走行中の自動車１の周りには自動車１の表面に沿った空気の流れが発生する。図２に示すように、自動車１の表面近傍では、空気と自動車の表面との間に生じる粘性摩擦によって空気の流れは遅くなっており、境界層４１が形成されている。境界層４１では、自動車１の表面から離れるほど空気の速度は大きくなり、空気の速度は、空気に対する自動車の相対速度に近づいていく。
【００１８】
自動車１の表面から離れて境界４２よりも外側の外部領域４３では、もはや空気と自動車の表面との間に生じる粘性摩擦の影響はなくなっており、空気の速度は、空気に対する自動車の相対速度にほぼ等しくなっている。外部領域４３における空気の流れを主流２と呼ぶ。
【００１９】
＜空気抵抗低減のメカニズム＞
次に、所定の波長域にある光を反射する反射制御層２１を自動車１が有することによって、自動車１の空気抵抗が低減されるメカニズムを説明する。
【００２０】
一般に、走行中の自動車１が空気から受ける力は、自動車１の前後、左右、上下の各軸方向の力と各軸周りのモーメントで表され、総称して空力六分力と呼ばれる。通常、走行中の自動車１が空気から受ける力は無次元化して表され、特に前後方向の力である空気抵抗Ｆは、次の数式１によって表される空気抵抗係数Ｃｄによって表される。ここで、ρは、外部領域４３の空気の密度、Ａは、自動車１の進行方向に対する前面投影面積、Ｖは、主流に対する自動車１の相対速度である。
【００２１】
【数１】
2019035156.tif 000003
【００２２】
空気抵抗係数Ｃｄは、空気の動圧「ρＶ２／２」と前面投影面積Ａの積によって、空気抵抗Ｆを除した値である。空気抵抗係数Ｃｄは、自動車１の形状に依存して決まる量であり、走行時の燃費、最高速度、加速性能などに影響を及ぼす。自動車１のような物体の空気抵抗Ｆは、自動車１全体でみたときには圧力抵抗が支配的であり、航空機で問題となる摩擦抵抗は自動車１では小さい。そのため、自動車１において空気抵抗Ｆを低減するためには、圧力抵抗を小さくすることに着目するのが効果的である。
【００２３】
上記着目に基づいて数式１を見直すと、通常の自動車の設計において、前面投影面積Ａは、圧力抵抗を小さくするために車両の設計で対応可能なパラメータとしてみなされる。一方、主流の空気密度ρ、および、速度Ｖについては、自動車の走行環境に応じて変動しうるものであるため、車両の設計で対応可能なパラメータとしてみなされない。
【００２４】
しかしながら、上記の既存概念の枠にとらわれることなく、本発明の発明者は、主流の空気密度ρは、圧力抵抗を小さくするために車両の設計で対応可能なパラメータとなりうると考えた。そして、空気抵抗Ｆの大部分を占める圧力抵抗が主流の空気密度ρに比例することに着目し、主流の空気を加熱することで主流の空気密度ρを下げ、その結果、空気抵抗Ｆを低減することが可能であるとの知見を得た。
【００２５】
主流の空気は、自動車１の表面から離れた場所にあるため、直接に加熱することはできない。しかしながら、所定の波長域にある光を反射する反射制御層２１を自動車１の表面に設けることにより、太陽、雲、空気中の水蒸気などから照射される光や、路面から放射される赤外線などの光が、反射制御層２１によって反射され、反射された光によって主流の空気を加熱することができる。
【００２６】
以上の理由により、反射制御層を移動体が有することによって、移動体の空気抵抗が低減される。
【００２７】
＜反射光による主流の温度上昇＞
上述したメカニズムで実際に主流の空気を加熱可能であることを検証するため、発明者は自動車の走行環境を模すため、風洞内に自動車のフェンダーを配置し、空気が流れる状態でフェンダー部分に疑似太陽光を照射した。そして、疑似太陽光が照射された部位を流れる空気が、当該部位を通過する前後でどの程度、温度上昇するかを測定した。ここで、同一形状のフェンダーであって、塗装を変えた３種類のフェンダーを用意し、検証を行った。フェンダー上に形成される塗装層が、本実施形態における反射制御層２１に相当する。
【００２８】
図４は、反射光による主流の温度上昇の検証結果を示すグラフ図である。図４には、検証を行った実験例１〜３に係る評価結果が示されており、符号８１は、「スーパーブラック」と呼ばれる標準的な黒色塗装を施した実験例１、符号８２は、「ホワイトパール」と呼ばれる標準的な白色塗装を施した実験例２、符号８３は、「銀メッキ」による銀色塗装を施した実験例３に対応する。実験例１，２，３の順に、紫外線波長から遠赤外線波長までの波長域における平均反射率が大きくなる。
【００２９】
ここで、「平均反射率」とは、指定された波長域における分光反射率（単色光に対する反射率）の平均値である。すなわち、指定された波長域において、波長の関数である分光反射率を測定し、指定された波長域にわたって測定された分光反射率を平均化して得られる値を「平均反射率」として定義している。
【００３０】
検証では、自動車のフェンダーの表面から表面に対して垂直方向に距離ｄだけ離れた位置であって、空気の流れに沿って、疑似太陽光が照射される部位の上流に熱電対３１ａを配置し、疑似太陽光が照射される部位の下流に熱電対３１ｂを配置した。ここで、フェンダーの表面の境界層よりも外側の主流の中に熱電対が配置されるよう、距離ｄは１８ｍｍに設定された。熱電対３１ａと熱電対３１ｂとは、空気の流れに沿って２００ｍｍの間隔を空けて配置されており、熱電対３１ａと熱電対３１ｂで挟まれる区間に対して、疑似太陽光を照射した。また、フェンダーに対する主流の空気の速度は、風速４０ｋｍ／ｈとした。
【００３１】
なお、検証の正確さを期すため、熱電対３１ａと熱電対３１ｂに対して、疑似太陽光が直接照射されることがないよう、注意を払った。熱電対３１ａによって測定される空気の温度は、フェンダーによって反射される疑似太陽光によって暖められる直前の空気の温度であり、熱電対３１ｂによって測定される空気の温度は、フェンダーによって反射される疑似太陽光によって暖められた直後の空気の温度である。
【００３２】
図４に示すように、熱電対３１ａで測定した温度よりも熱電対３１ｂで測定した温度の方が高いことが分かった。さらに、実験例１，２，３の順に、温度上昇ΔＴが大きくなることが分かった。すなわち、自動車の表面の塗装の平均反射率が大きいほど、温度上昇ΔＴが大きくなることが分かった。
【００３３】
実際の自動車の全長が４４００ｍｍであるとした場合、自動車の全長にわたっての温度上昇は、図４に示される温度上昇ΔＴの２２倍となる。そのため、実際の自動車であれば、実験例１，２，３の順に、約２Ｋ、約４Ｋ、約６．６Ｋの温度上昇が生じることになる。
【００３４】
以上のように、自動車の表面に設けた反射制御層によって光を反射することにより、実際に主流の空気を加熱可能であることが分かった。
【００３５】
理想気体の状態方程式に当てはめた場合、６．６Ｋの温度上昇によって３００Ｋの空気が３０６．６Ｋになったと仮定すると、約２％の密度低下をもたらす。これは、約２％の空気抵抗Ｆの低減に相当する。
【００３６】
＜反射制御層の構成＞
本実施形態では、自動車の表面の種類（自動車前面１１０、自動車上面１１２、自動車側面１１４）によって異なる種類の反射制御層２１を自動車１の表面に設けている。その態様について次に説明する。
【００３７】
図５Ａは、本実施形態に係る自動車を進行方向に対して前方から見た正面図である。図５Ｂは、本実施形態に係る自動車を進行方向に対して上方から見た上面図である。図５Ｃは、本実施形態に係る自動車を進行方向に対して側方から見た側面図である。
【００３８】
自動車１の表面は、場所に応じて走行風あるいは進行方向に対してなす角度が異なるため、場所に応じて走行風から受ける力の種類が異なる。
【００３９】
自動車１の表面のうち、走行風に対して９０度に近い角度をなす面ほど、走行風の動きを妨げる能力はより大きくなるため、「走行風を受けやすい」といえる。このような面では、圧力抵抗に比べて粘性抵抗は無視できるほどに小さいとみなせる。
【００４０】
一方、自動車１の表面のうち、走行風に対して０度に近い角度をなす面ほど、走行風の動きを妨げる能力はより小さくなるため、「走行風を受けにくい」といえる。このような面では、圧力抵抗に比べて粘性抵抗は無視できない。
【００４１】
図５Ａに示すように、自動車１の表面のうち、フロントガラス、フロントバンパー、エンジンフードなど、自動車１の進行方向の前方から見える面は、走行時に自動車１の進行方向から走行風を受けやすい。
【００４２】
そこで、自動車１（移動体）の表面のうち、走行時に自動車１（移動体）の進行方向から走行風を受ける面を自動車前面１１０（移動体前面）として定義する。もしくは、自動車１の進行方向の前方から見える面を、自動車前面１１０（移動体前面）として定義してもよい。
【００４３】
本実施形態では、０．７５μｍから１００μｍまでの波長域における平均反射率が４％以上である反射制御層２１Ａを、自動車前面１１０に形成している。
【００４４】
また、図５Ｂに示すように、自動車１の表面のうち、ルーフ（天板）は、走行時に自動車１の進行方向から走行風を受けにくい。
【００４５】
そこで、自動車１（移動体）の表面のうち、自動車１の上方から見える面であって、走行風を受けにくい面を自動車上面１１２（移動体上面）として定義する。もしくは、走行時に自動車１（移動体）の進行方向と略平行（平行あるいは平行に近い位置関係）になる面を、自動車上面１１２（移動体上面）として定義してもよい。
【００４６】
自動車上面１１２は走行風に対して略平行となるため、走行時に自動車１の進行方向から走行風を受けにくい。
【００４７】
本実施形態では、０．３μｍから１００μｍまでの波長域における平均反射率が４％以上である反射制御層２１Ｂを、自動車上面１１２に形成している。
【００４８】
また、図５Ｃに示すように、自動車１の表面のうち、サイドドア、フェンダー、タイヤホイールなど、自動車１の進行方向の側方から見える面は、自動車１が直進している場合（直進時）には、自動車１の進行方向から走行風を受けにくい。
【００４９】
一方で、自動車１の表面のうち、サイドドア、フェンダー、タイヤホイールなど、自動車１の進行方向の側方から見える面は、自動車１がカーブして走行している場合（カーブ時）には、自動車１の進行方向から走行風を受けやすい。
【００５０】
そこで、自動車１（移動体）の表面のうち、カーブ時に自動車１（移動体）の進行方向から走行風を受ける面を自動車側面１１４（移動体側面）として定義する。もしくは、自動車１の進行方向の側方から見える面を、自動車側面１１４（移動体側面）として定義してもよい。
【００５１】
自動車側面１１４は、直進時において走行風に対して略平行となるため、進行方向から走行風を受けにくい。一方、カーブ時には、自動車側面１１４は、走行風と自動車側面１１４のなす角度で進行方向から走行風を受けやすい。
【００５２】
本実施形態では、０．７５μｍから１００μｍまでの波長域における平均反射率が４％以上である反射制御層２１Ｃを、自動車側面１１４に形成してあってもよい。
【００５３】
なお、上述において、自動車１の進行方向に対して自動車１の後方から見える面を、自動車後面１１８（移動体後面）として定義した上で、自動車１（移動体）の表面のうち、自動車１の上方から見える面であって、自動車前面１１０、自動車側面１１４、自動車後面１１８を除く面を自動車上面１１２として定義してもよい。
【００５４】
本実施形態では、０．７５μｍから１００μｍまでの波長域における平均反射率が４％以上である反射制御層２１Ｄを、自動車後面１１８に形成してあってもよい。
【００５５】
つまり、本実施形態では、自動車上面１１２に、０．３μｍから１００μｍまでの波長域における平均反射率が４％以上である反射制御層２１Ｂを形成しており、自動車１の表面のうち、自動車上面１１２を除く部分に、０．７５μｍから１００μｍまでの波長域における平均反射率が４％以上である反射制御層２１Ａ，２１Ｃ，２１Ｄを形成している。
【００５６】
なお、本実施形態では、反射制御層２１Ａ，２１Ｂ，２１Ｃ，２１Ｄの平均反射率が、互いに異なる値であってもよい。すなわち、反射制御層２１Ａ，２１Ｂ，２１Ｃ，２１Ｄの平均反射率が等しい値でなくてもよい。
【００５７】
なお、自動車上面１１２は走行風に対して略平行であることから、自動車１の進行方向に対して略平行である。そのため、自動車前面１１０に形成された反射制御層２１Ｂは、自動車１の上方から入射した光を自動車１の上方に反射しやすい。
【００５８】
一方、自動車前面１１０、自動車側面１１４、自動車後面１１８は、走行風に対して略平行ではないため、自動車１の進行方向に対して略平行ではない。そのため、反射制御層２１Ｂとは異なり、反射制御層２１Ａ，２１Ｃ，２１Ｄは、自動車１の上方から入射した光を自動車１の前方、側方、後方に反射しやすい。すなわち、反射制御層２１Ａ，２１Ｃ，２１Ｄは、自動車１の上方から入射した光を、自動車１の前方、側方、後方の位置にいる歩行者に向けて反射しやすいといえる。
【００５９】
なお、自動車１の表面は、自動車１の上方からの直接光や、上方からの直接光が自動車１の周囲の物体によって反射されることで生じる間接光を反射する。自動車前面１１０、自動車上面１１２、自動車後面１１８は、間接光よりも直接光を反射する割合が大きい。これに対し、自動車側面１１４は、直接光よりも間接光を反射する割合が大きい。そのため、自動車側面１１４よりも、自動車前面１１０、自動車上面１１２、自動車後面１１８は、歩行者にとって明るく見えやすい。
【００６０】
＜反射制御層を設けたことによる効果＞
上述した態様によれば、自動車１の表面に入射した光が反射制御層２１によって反射される。そのため、自動車１の表面で反射された光によって、走行中の自動車１の周りに存在する主流２が加熱される。加熱により主流２の密度が低下するため、自動車１の空気抵抗Ｆを低減することができる。
【００６１】
特に、自動車前面１１０に反射制御層２１Ａを形成しているため、走行時において、自動車１の進行方向の前方から受ける走行風に起因する圧力抵抗を低減することができる。
【００６２】
また、反射制御層２１によって反射される光には、太陽光の波長域、赤外放射の波長域にある光が含まれるため、反射光によって自動車１の空気抵抗Ｆを低減することができる。
【００６３】
さらに、自動車１の上方から入射した光を、自動車１の前方、側方、後方の位置にいる歩行者に向けて反射しやすい反射制御層２１Ａ，２１Ｃ，２１Ｄについて、その平均反射率は、自動車上面１１２に形成した反射制御層２１Ｂの平均反射率とは異なっている。そのため、反射制御層２１による反射光が歩行者の目に眩しく映ることを防止できる。
【００６４】
より具体的には、反射制御層２１Ａ，２１Ｃ，２１Ｄは、０．７５μｍから１００μｍまでの波長域における平均反射率が４％以上であり、可視光域における平均反射率は小さく抑えられている。そのため、反射制御層２１Ａ，２１Ｃ，２１Ｄによる反射光が歩行者の目に眩しく映ることを防止しつつも、反射制御層２１Ａ，２１Ｃ，２１Ｄによって反射される光には赤外放射や酸素吸収域にある光が含まれるため、反射光によって自動車１の空気抵抗Ｆを低減することができる。
【００６５】
できる限り自動車１の表面からの反射光が歩行者の目に眩しく映ることを防止するためには、自動車上面１１２に形成された反射制御層２１Ｂについても、可視光域における平均反射率を小さくすべきとも考えられるが、本実施形態では、そのような構成を採用していない。
【００６６】
その理由は、第一に、反射制御層２１Ｂは、自動車１の上方から入射した光を自動車１の上方に反射しやすく、自動車上面１１２からの反射光が歩行者の目に眩しく映る可能性は小さいためである。
【００６７】
また、第二に、自動車上面１１２では、圧力抵抗に比べて境界層４１から受ける粘性摩擦は無視できない大きさであり、空気の粘性摩擦は、自動車上面１１２の温度上昇と共に増大するという性質がある。よって、自動車上面１１２の温度上昇を抑えて粘性摩擦による抵抗を低減するため、赤外放射よりもエネルギーの高い可視光域や近紫外線の波長域にある光についても反射すべきだからである。
【００６８】
つまり、自動車上面１１２に形成した反射制御層２１Ｂについて、可視光域や近紫外線の波長域を含む０．３μｍから１００μｍまでの波長域における平均反射率を４％以上とすることにより、自動車上面１１２に生じる粘性抵抗を抑えつつ、反射光によって自動車１の空気抵抗Ｆを低減することができる。
【００６９】
また、上述した態様によれば、自動車側面１１４に反射制御層２１Ｃを形成している。そのため、カーブ時において、自動車１の側面から受ける走行風に起因する圧力抵抗を低減することができる。
【００７０】
また、上述した態様によれば、直接光と間接光の反射の割合が、自動車前面１１０、自動車上面１１２、自動車側面１１４、自動車後面１１８の各部に応じて異なるため、反射制御層２１Ａ，２１Ｂ，２１Ｃ，２１Ｄの平均反射率を互いに異なる値にすることにより、歩行者の目に眩しく映る可能性は小さくしつつ、自動車１の意匠性を向上させることができる。
【００７１】
特に、自動車上面１１２を、自動車前面１１０、自動車側面１１４、自動車後面１１８とは異なる色、あるいは、反射制御層２１Ｂを、反射制御層２１Ａ，２１Ｃ，２１Ｄとは異なる平均反射率にすることで、歩行者の目に眩しく映る可能性を小さくしつつ、自動車１の各部の明度や彩度を介して自動車１の意匠性を向上させることができる。
【００７２】
さらに、反射制御層２１Ａ，２１Ｂ，２１Ｃ，２１Ｄの平均反射率を介して、自動車前面１１０および自動車後面１１８の明度と自動車側面１１４の明度との間の差を大きくすることができる。同様に、自動車前面１１０および自動車後面１１８の彩度と自動車側面１１４の彩度との間の差を大きくすることができる。明度の差及び彩度の差を同時に大きくすることもできる。その結果、自動車前面１１０および自動車後面１１８と自動車側面１１４の色の差を大きくすることができ、歩行者の目に眩しく映る可能性を小さくしつつ、自動車１の意匠性を向上させることができる。
【００７３】
また、反射制御層２１Ａ，２１Ｂ，２１Ｃ，２１Ｄの平均反射率を介して、自動車前面１１０および自動車後面１１８の明度と自動車側面１１４の明度との間の差を小さくすることもできる。同様に、自動車前面１１０および自動車後面１１８の彩度と自動車側面１１４の彩度との間の差を小さくすることもできる。明度の差及び彩度の差を同時に小さくすることもできる。その結果、自動車前面１１０および自動車後面１１８と自動車側面１１４の色の差を小さくすることができ、歩行者の目に眩しく映る可能性を小さくしつつ、自動車１の意匠性を向上させることができる。
【００７４】
上述の実施形態では、移動体が自動車である場合を挙げて説明したが、自動車の他にも、空気中を運動する移動体に対して本発明は適用可能である。移動体の例としては、自動車の他に、二輪車、鉄道、航空機、ロケットなどが挙げられる。
【００７５】
以上、実施形態に沿って本発明の内容を説明したが、本発明はこれらの記載に限定されるものではなく、種々の変形及び改良が可能であることは、当業者には自明である。この開示の一部をなす論述および図面は本発明を限定するものであると理解すべきではない。この開示から当業者には様々な代替実施形態、実施例および運用技術が明らかとなろう。
【００７６】
本発明はここでは記載していない様々な実施形態等を含むことは勿論である。したがって、本発明の技術的範囲は上記の説明から妥当な請求の範囲に係る発明特定事項によってのみ定められるものである。
【符号の説明】
【００７７】
１    自動車（移動体）
２    主流
２０  車体塗装層
２１，２１Ａ，２１Ｂ，２１Ｃ，２１Ｄ  反射制御層
４１  境界層
４２  境界
４３  外部領域
１１０  自動車前面（移動体前面）
１１２  自動車上面（移動体上面）
１１４  自動車側面（移動体側面）
【図１】
2019035156.tif 000004
【図２】
2019035156.tif 000005
【図３】
2019035156.tif 000006
【図４】
2019035156.tif 000007
【図５Ａ】
2019035156.tif 000008
【図５Ｂ】
2019035156.tif 000009
【図５Ｃ】
2019035156.tif 000010
【手続補正書】
【提出日】平成30年3月5日(2018.3.5)
【手続補正１】
【補正対象書類名】特許請求の範囲
【補正対象項目名】全文
【補正方法】変更
【補正の内容】
【特許請求の範囲】
【請求項１】
太陽光の波長域又は赤外放射の波長域にある光を反射する反射制御層が表面に形成された移動体であって、
前記移動体の表面のうち、前記移動体の進行方向から走行風を受ける面を移動体前面とし、前記進行方向と略平行になる面を移動体上面として、
前記移動体前面における前記反射制御層の平均反射率が、前記移動体上面における前記反射制御層の平均反射率と異なり、
０．７５μｍから１００μｍまでの波長における前記移動体前面の前記反射制御層の平均反射率が、４％以上であること
を特徴とする移動体。
【請求項２】
請求項１に記載された移動体であって、
前記移動体上面における前記反射制御層の平均反射率が、前記移動体上面を除く前記移動体の表面における前記反射制御層の平均反射率よりも大きいこと
を特徴とする移動体。
【請求項３】
請求項１又は２に記載された移動体であって、
０．３μｍから１００μｍまでの波長における前記移動体上面における前記反射制御層の平均反射率が、４％以上であること
を特徴とする移動体。
【請求項４】
請求項１乃至３のいずれか一項に記載された移動体であって、
前記移動体の表面のうち、カーブ時において前記移動体の進行方向から走行風を受ける面を移動体側面として、
前記移動体側面における前記反射制御層の平均反射率が、前記移動体上面における前記反射制御層の平均反射率と異なること
を特徴とする移動体。
【請求項５】
移動体の表面のうち、前記移動体の進行方向から走行風を受ける面を移動体前面とし、前記進行方向と略平行になる面を移動体上面として、
前記移動体前面に形成された太陽光の波長域又は赤外放射の波長域にある光を反射する反射制御層の平均反射率が、前記移動体上面に形成された反射制御層の平均反射率と異なる移動体用空気抵抗低減塗装。
【手続補正書】
【提出日】令和2年3月25日(2020.3.25)
【手続補正１】
【補正対象書類名】明細書
【補正対象項目名】００５７
【補正方法】変更
【補正の内容】
【００５７】
なお、自動車上面１１２は走行風に対して略平行であることから、自動車１の進行方向に対して略平行である。そのため、自動車上面１１２に形成された反射制御層２１Ｂは、自動車１の上方から入射した光を自動車１の上方に反射しやすい。
【国際調査報告】
2019035156.tif 000011
2019035156.tif 000012